(57)【要約】【課題】従来、記録計にはデータを記録する以外に予め設定された情報を印字するためのプロッターペンが用意されている。このプロッターペンは予め設定された情報を印字させる機能であり、ユーザーが突発的に記録紙に何か記録を記載したい場合に対応することができない。【解決手段】本件発明では、記録紙などの記録媒体に記録すべきデータ信号を取得するデータ取得部と、記録媒体に記録を行う記録部と、前記記録部を制御する記録制御部と、からなる記録計において、ユーザーが任意に入力可能なマーカー信号を入力するマーカー信号入力部と、を有する記録計を提供する。【選択図】図２
2011027575.tif 000002
【特許請求の範囲】
【請求項１】
記録紙などの記録媒体に記録すべきデータ信号を取得するデータ取得部と、
記録媒体に記録を行う記録部と、
前記記録部を制御する記録制御部と、
からなる記録計において、
ユーザーが任意に入力可能なマーカー信号を入力するマーカー信号入力部と、
を有する記録計。
【請求項２】
前記記録部は、
データ取得部にて取得されたデータ信号を記録紙に連続的に記録するための複数の記録手段と、
前記記録制御部は、
データ取得部にて取得されたデータ信号を前記記録媒体に記録するように記録手段を制御するデータ信号記録制御手段と、
記録媒体に対して記録を行っていない記録手段に対して、マーカー信号入力部から入力されたマーカー信号を記録するように記録手段を制御するマーカー信号記録制御手段と、
を有する請求項１に記載の記録計。
【発明の詳細な説明】
【技術分野】
【０００１】
本件発明は連続紙などのチャート紙に記録を行う記録計において、ユーザーが任意に記録用のペンを用いてチャート紙上にマーキングを行うことが可能な記録計である。
【背景技術】
【０００２】
従来から一般的に用いられている記録紙上にペンなどによって記録される記録計では、記録計を使用しているユーザーが、何か記録紙上に記録を残したい場合、直接ペンや鉛筆などを用いて記録紙上に記録（マーキング）することが多々ある。完全なアナログ式記録計においては、ユーザーがデータを記録するための記録用のペンを記録中に強引に指で動かすことで記録紙上にマーキングする場合もあった。また、記録用ペンの中で未使用のペンをユーザーが所望する任意の位置に放置し、マーキングしたい位置で記録用ペンの位置を任意の量だけ強引にずらすことでマーキングの機能として使用する場合もあった。
【０００３】
そこで、近年の記録計では、特許文献１に示したように、データを記録するための記録用のペンの他に、デジタル印字可能な印字用のヘッドを有し、予め設定した諸条件を印字することが可能なように構成されている。
【先行技術文献】
【特許文献】
【０００４】
【特許文献１】特開平６−３４７２９６号広報
【発明の概要】
【発明が解決しようとする課題】
【０００５】
しかし、特許文献１に示した記録計では、記録計のユーザーが突発的に記録紙に何か記録を記載したい場合に対応することができない。この場合には、従来と同じく記録紙に直にペンなどでマーキングすることとなる。またマーキングを行うための機構を予め記録計に搭載させた場合、コスト高となってしまったり、機構を納めるためのスペースを確保しなくてはならないなど、様々な問題が発生してしまう。
【０００６】
また、前述の完全なアナログ式記録計の場合、ユーザーが強引にデータ記録用のペンを無理に指で動かしてマーキングを行っても、故障が発生する可能性は低かった。しかし、現在主流となっているハイブリッド式記録計のように、データ記録用のペンをデジタル制御している記録計では、ペンを無理に指で動かすと、ペンを駆動させる機構などを破損してしまう恐れがある。
【課題を解決するための手段】
【０００７】
そこで、本件発明では、上記課題に鑑み以下の記録計を提供する。すなわち、第一の発明としては、記録紙などの記録媒体に記録すべきデータ信号を取得するデータ取得部と、記録媒体に記録を行う記録部と、前記記録部を制御する記録制御部と、からなる記録計において、ユーザーが任意に入力可能なマーカー信号を入力するマーカー信号入力部と、を有する記録計を提供する。
【０００８】
第二の発明としては、前記記録部は、データ取得部にて取得されたデータ信号を記録紙に連続的に記録するための複数の記録手段と、前記記録制御部は、データ取得部にて取得されたデータ信号を前記記録媒体に記録するように記録手段を制御するデータ信号記録制御手段と、記録媒体に対して記録を行っていない記録手段に対して、マーカー信号入力部から入力されたマーカー信号を記録するように記録手段を制御するマーカー信号記録制御手段と、を有する第一の発明に記載の記録計を提供する。
【発明の効果】
【０００９】
本件発明の記録計では、データの記録に用いるペンなどを、操作キーを介して操作することで、ユーザーが何らかの理由で記録紙などの記録媒体にマーキングしたい場合に、容易にマーキングすることが可能となる。
【００１０】
また、記録媒体に記録するためのペンなどの記録手段を複数有する場合、マーキングを行うためのペンは、複数有する記録手段のうち、データの記録を行っていない記録手段の一部を使用することで、記録中のデータを途切れることなく、データの記録とマーキングを行うことが可能である。
【図面の簡単な説明】
【００１１】
【図１】実施形態１の記録計を説明するための概念図
【図２】実施形態１の記録計を説明するための機能ブロック図
【図３】実施形態１の記録計を説明するための概念図
【図４】実施形態１の記録計を説明するための概念図
【図５】実施形態１の記録計を説明するための概念図
【図６】実施形態１の記録計の処理の流れを説明するためのフローチャート
【図７】実施形態１の記録計のハードウエア構成図
【図８】実施形態２の記録計を説明するための概念図
【図９】実施形態２の記録計を説明するための機能ブロック図
【図１０】実施形態２の記録計を説明するための概念図
【図１１】実施形態２の記録計を説明するための概念図
【図１２】実施形態２の記録計の処理の流れを説明するためのフローチャート
【発明を実施するための形態】
【００１２】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１３】
実施形態１は、主に請求項１などに関する。実施形態２は、主に請求項２などに関する。
＜＜実施形態１＞＞
＜実施形態１  概要＞
【００１４】
図１に本実施形態の概要を説明するための概念図を示した。本実施形態の記録計は、記録計をユーザーが操作することで、簡単に記録紙にマーキングすることが可能な記録計である。
【００１５】
例えば、図１に示すように、何らかの測定装置（０１０１）から記録計（０１０２）に入力されるデータを記録紙（０１０３）などの記録媒体に記録している状態において、（図１の（ａ）の状態）、ユーザー（０１０４）が何らかの理由で、記録媒体にマーキングを行いたい場合、記録計の操作パネル（０１０５）を操作することで、（ｂ）のように記録紙に描かれた記録（０１０６）の一部に、データの記録とは識別可能なマーク（０１０７）を記録することが可能な記録計である。
【００１６】
このように、本実施形態の記録計では、ユーザーが何らかの理由で記録紙などの記録媒体にマーキングしたい場合に、容易にマーキングすることが可能となる。
＜実施形態１  構成＞
【００１７】
図２に本実施形態の記録計の機能ブロック図を示した。本実施形態の記録計（０２００）は、測定装置（０２０１）から記録紙などの記録媒体（０２０２）に記録すべきデータ信号を取得するデータ取得部（０２０３）と、記録媒体に記録を行う記録部（０２０４）と、前記記録部を制御する記録制御部（０２０５）と、からなる記録計において、ユーザー（０２０６）が任意に入力可能なマーカー信号を入力するマーカー信号入力部（０２０７）を有する。
【００１８】
「データ取得部」は、温度計や圧力計など様々な測定装置等から得られるデータを取得する。データ取得部が取得する測定装置等から取得するデータは、デジタルデータであってもよいし、アナログデータであってもよい。仮に、データ取得部が取得するデータがアナログデータである場合には、取得したアナログデータをデータ取得部にてデジタルデータへ変換してもよい。
【００１９】
「記録制御部」は、前記データ取得部が取得したデータに基づき、後述する記録部を制御する。例えば、データ取得部にて取得した測定装置の電流値などに基づき、記録部を制御し、記録部は記録用のペンを動かすことで記録媒体である記録紙などに記録を行う。この際、記録制御部は、取得した電流値をそのまま記録部へ出力してもよいが、記録媒体に記録するスケールに合わせたり、ノイズなどの影響を除外する処理などの信号処理を行い、その結果に基づいて記録部を制御したりしてもよい。
【００２０】
「記録部」は、記録制御部の制御に基づき記録紙などの記録媒体に記録を行う。記録部は、例えば連続的に記録紙に記録を行うペンなどを有している。また記録部は、前述した記録紙に記録を行うためのペンの他、ハードディスクやＲＡＭ、ＲＯＭなどの記録媒体を有していてもよい。
【００２１】
「マーカー信号入力部」は、ユーザーが操作キーやタッチパネルなどのインターフェイスを介して入力したマーカー信号を、前記記録制御部対して出力する。記録制御部は、マーカー信号入力部からマーカー信号を取得すると、記録媒体上にマーキングを行うように、記録部の制御を行う。
【００２２】
マーカー信号を入力するためにユーザーが行う操作は、突発的な入力などに対応するために、簡単に行えることが望ましい。例えば、特別な操作キーを設けずに、データを記録中に、特定の操作キーを操作することで、マーキングが行われるようにすることが望ましい。また、簡単な操作でマーキングが行われるため、次に示すように、マーキングそのものも、文字や複雑な図形ではなく簡単なマークであることが望ましい。
【００２３】
記録媒体である記録紙上には、記録部のペンなどが記録しているデータと識別可能なマーキングを行う。例えば、データを記録している際に、マーカー信号入力部からマーカー信号が入力されると、図３の（ａ）に示したように、データとは別にピークをマーキングしたり、（ｂ）のように、現在記録しているデータのベースラインをずらすなどして、識別できるようにマーキングする。
【００２４】
また、操作キーの一例を図４に示した。この図４に示した操作キーの操作と、それによるマーキングの具体例を説明する。例えば、図４のように、操作キーにペンを左右に動かすためのキーを有している場合、例えば（ａ）のように、ユーザーが任意の時点で、左キーを押下すると、チャート紙に破線内に破線で示したような、ベースラインがずれることでマーキングをすることが可能である。また、さらに（ｂ）のように、もう一度左キーを押下すると、さらにベースラインが左へずれる。逆に（ｃ）のように、右キーを２度押下すると、元のベースラインの位置に戻る。
【００２５】
このように、左右にベースラインを動かすだけであっても、その組み合わせにより、様々な情報を、チャート紙上に容易にマーキングすることが可能である。
【００２６】
また、図４では操作キーとして左右キーを有していたが、さらに単純に、図５のようにマーキングのボタン一つであってもよい。例えば図５の（ａ）のように、ペンが何らかの情報を記録していた状態で、ユーザーがマークボタン（ＭＡＲＫ）を押下すると、（ｂ）に示したような鋭いピークが一つチャート紙上にマークされる。単純にこのようなマーキングのみであってもよい。
【００２７】
尚、本実施形態では、記録媒体にデータを記録する記録部のペンが１つの記録計を例に説明したが、記録部のペンは複数であってもよい。この場合、複数のペン全てが同時にマーキングを行うように構成してもよいし、個々のペンごとにマーキングを行うように構成してもよいし、代表の１つのペンのみがマーキングするように構成してもよい。
＜実施形態１  処理の流れ＞
【００２８】
図６に本実施形態の記録計の処理の流れを説明するためのフローチャートを示した。本実施形態の記録計では、まず測定装置などから、データ信号の入力（Ｓ０６０１）があると、この段階でユーザーからのマーカー信号入力の有無を判断（Ｓ０６０２）する。ユーザーからのマーカー信号の入力が無かった場合には、測定装置などから取得したデータ信号を元にチャート紙などの記録媒体へ記録（Ｓ０６０３）を行う。記録完了後、次のデータ信号が入力されたか否かを判断（Ｓ０６０４）し、データ信号が入力されていなければ処理は終了され、データが入力されている場合には、元に戻り再度繰り返し処理が行われる。ここで、ユーザーからのマーカー信号の入力の有無を判断した段階で、ユーザーからのマーカー信号が入力されていた場合、本実施形態の記録計では、チャート紙などの記録媒体にマーカー信号に基づくマーキング（Ｓ０６０５）を行う。マーキングが完了した後は、通常の処理へと戻る。
＜実施形態１  ハードウエア構成＞
【００２９】
図７に上記各構成要件をハードウエアとして実現した際の、記録計における構成の一例を表す概略図である。この図を利用して記録計の、それぞれのハードウエアの動きについて説明する。
【００３０】
本実施形態の記録計は、図７に示したように、各種演算処理を行うＣＰＵ（０７０１）や主メモリ（０７０２）、また各種処理や判断を行うプログラムや、場合によっては測定結果などを記憶保持するハードディスクやフラッシュメモリなどの記憶装置（０７０３）や、ユーザーに対して様々な情報を報知するためのディスプレイやモニタ用ＬＥＤ（０７０４）、温度計などの測定装置（０７０５）と接続し通信を行うための通信インターフェイス（０７０６）や、記録紙などの記録媒体（０７０７）に印字するためのペン（０７０８）や、ユーザー（０７０９）からの操作を受け付ける操作キー（０７１０）などを備えている。そしてそれらがシステムバスやデータ通信経路（０７１１）によって相互に接続され、情報の送受信や処理を行う。また、主メモリは、各種処理を行うプログラムをＣＰＵに実行させるために読み込ますと同時にそのプログラムの作業領域でもあるワーク領域を提供する。また、この主メモリや記憶装置にはそれぞれ複数のメモリアドレスが割り当てられており、ＣＰＵで実行されるプログラムは、そのメモリアドレスを特定しアクセスすることで相互にデータのやりとり行い、処理を行うことが可能となっている。
【００３１】
ＣＰＵは、通信インターフェイスに接続された温度計などから受信した情報を記録紙などに記録するためのプログラムを主メモリに展開する。ＣＰＵは、展開されたプログラムに基づき、通信インターフェイスに接続された温度計から、温度情報などを取得する。取得した温度情報は一時的に主メモリ上に保存される。この際、取得した温度情報は逐次記憶装置に保存するように設定してもよい。温度情報が取得されるとＣＰＵは、ペンに対して、温度情報を記録媒体に記録するように指示をする。また、ユーザーにより操作キーが操作された場合には、ＣＰＵは操作キーの操作に応じて、記録紙などの記録媒体に、マーキングを行うようにペンに対して指示を行う。
＜実施形態１  効果＞
【００３２】
本実施形態の記録計では、データの記録に用いるペンなどを、操作キーを介して操作することで、ユーザーが何らかの理由で記録紙などの記録媒体にマーキングしたい場合に、容易にマーキングすることが可能となる。
＜＜実施形態２＞＞
＜実施形態２  概要＞
【００３３】
図８に本実施形態の記録計の概要を説明するための概念図を示した。本実施形態の記録計は、記録媒体に記録するためのペンなどの記録手段を複数有しており、マーキングを行うためのペンは、複数有する記録手段のうち、データの記録を行っていない記録手段の一部を使用することを特徴としている。
【００３４】
例えば、図８の（ａ）に示したように、記録計（０８０１）に温度計などの測定装置１（０８０２）および測定装置２（０８０３）が接続された記録手段１（０８０４）および記録手段２（０８０５）が取得した温度情報を記録紙などの記録媒体（０８０６）に記録を行っている場合、記録手段３（０８０７）は使用していない状態となる。このとき、ユーザー（０８０８）がマーキングを行うように操作キー（０８０９）を操作すると、（ｂ）のようにデータの記録を行っている記録手段１および記録手段２はそのまま記録を続け、使用していない状態の記録手段３が記録紙などの記録媒体にマーキング（０８１０）を行う。
【００３５】
実施形態１と異なり、データの記録を行っていない記録手段を用いてマーキングを行うため、記録中のデータを途切れることなく、データの記録とマーキングを行うことが可能である。
＜実施形態２  構成＞
【００３６】
図９に本実施形態の記録計を説明するための機能ブロック図を示した。本実施形態の記録計は、実施形態１の記録計にさらに、記録部（０９０１）には、データ取得部（０９０２）にて取得されたデータ信号を記録紙などの記録媒体（０９０３）に連続的に記録するための複数の記録手段（０９０４、０９０５、０９０６）と、記録制御部（０９０７）には、データ取得部にて取得されたデータ信号を前記記録媒体に記録するように記録手段を制御するデータ信号記録制御手段（０９０８）と、記録媒体に対して記録を行っていない記録手段に対して、マーカー信号入力部（０９０９）から入力されたマーカー信号に基づきマーキングをするように記録手段を制御するマーカー信号記録制御手段（０９１０）とからなる。
【００３７】
「記録手段」は、具体的には記録紙などの記録媒体にデータ等を印字するためのペンなどであり、実施形態２ではこの記録手段を複数備えている。図９では、この記録手段を記録手段１、記録手段２、記録手段３の３つ備えているとして説明している。この３つの記録手段は、それぞれ入力された信号に応じて、独自に記録媒体に印字を行う。
【００３８】
「データ信号記録制御手段」は、データ取得部から得たデータ信号を、複数ある記録手段のうち、どの記録手段に印字させるかを制御し、印字手段に印字をさせる。例えば、図９においては、データ信号記録制御手段は、記録手段１から３のうち、記録手段１および記録手段２にデータ取得部から得たデータ信号の印字を行うように制御している。記録手段を選択する制御は、ユーザー自身が個別に設定するように構成してもよいし、記録制御部自らが選択して制御するように構成してもよい。
【００３９】
「マーカー信号記録制御手段」は、マーカー信号入力部から入力されたマーカー信号を、複数ある記録手段のうち、データ信号記録制御手段によって、データ信号の印字を制御されていない、つまり使用していない記録手段に対して、マーカー信号に基づく印字を行うように制御させる。例えば、図９においては、記録手段１および記録手段２は、データ信号記録制御手段により、データを印字するように制御されている。しかし、記録手段３については、データ信号記録制御手段により制御されていない、未使用の記録手段である。そこで、マーカー信号記録制御手段は、記録手段３に対して、マーカー信号に基づいて、記録媒体にマーキングを行うように記録手段３に対して制御を行う。
【００４０】
ここで、仮に記録手段１から記録手段３までの全ての記録手段がデータ信号記録制御手段により、データを印字するように制御されていた場合、マーカー信号記録制御手段は、マーカー信号の入力があった場合でも、マーキングを行わないように制御してもよいし、実施形態１と同様に、データ信号記録制御手段が制御している記録手段に対して、一時的に、データの記録を中止し、マーカー信号に基づくマーキングを行い、その後データの記録を再開するように構成してもよい。
【００４１】
これらのマーカー信号記録制御手段の、記録手段の選択などについては、自動的にマーカー信号記録制御手段が行ってもよいし、ユーザーが操作パネルを操作することで、人為的に操作するように設定してもよい。例えば、図１０の（ａ）に示したように、個々の記録手段に対して、それぞれ独立した操作キー（図１０中の１００１、１００２、１００３のキー）を設けて、データ信号に基づく印字を行っていない記録手段に対してマーキングを行うように操作してもよい。
【００４２】
また、（ｂ）のように、マーキング用の操作キーを、それぞれの制御手段共通（図１０中１００４のキー）としてもよい。この際、仮にデータ信号に基づく印字を行っていない記録手段が複数あった場合、予め優先順位を決め、いずれか一つの記録手段がマーキングを行うようにしてもよいし、全ての記録手段でマーキングを行うように構成したりしてもよい。
【００４３】
さらに、マーカー信号に基づく記録手段のマーキングは、図１１の（ａ）のように、ＯＮの操作が行われた時点から、ＯＦＦの操作が行われるまでの時点まで、マーキングが定常状態から変化した状態に維持し続けるように構成してもよいし、（ｂ）のように、マーキングの操作が行われた時点に、矩形状や山形状のマーキングを行ってもよい。
【００４４】
また、データ信号記録制御手段は、データ取得部が取得したデータ信号１つに対して、一つの記録手段に印字するように制御しているが、データ信号１つを、複数の記録手段に印字させるように制御してもよい。例えば、複数の記録手段のうち、一つにデータ信号に基づいたデータを印字させ、他方の記録手段は、実施形態１と同様に、マーカー信号入力部から、マーカー信号が入力された際に、データの印字を一旦中止し、マーカー信号に基づく印字を行うように構成してもよい。
【００４５】
尚、本実施形態のハードウエア構成は実施形態１のハードウエア構成とほぼ同一であるため、詳細な説明は省略した。
＜実施形態２  処理の流れ＞
【００４６】
図１２に本実施形態の記録計の処理の流れを説明するためのフローチャートを示した。本実施形態の記録計では、まず温度計などの測定装置などからデータ信号の入力（Ｓ１２０１）があると、ユーザーからのマーカー信号の入力の有無を判断（Ｓ１２０２）する。ユーザーからのマーカー信号の入力が無かった場合には、測定装置などから取得したデータ信号を元にチャート紙などの記録媒体へ記録（Ｓ１２０３）を行う。記録完了後、次のデータ信号が入力されたか否かを判断（Ｓ１２０４）し、データ信号が入力されていなければ処理は終了されここで、ユーザーからのマーカー信号の入力の有無を判断した段階で、ユーザーからのマーカー信号が入力されていた場合、データが入力されている場合には、元に戻り再度繰り返し処理が行われる。
【００４７】
ここで、ユーザーからのマーカー信号の入力を判断した段階で、ユーザーからのマーカー信号が入力されていた場合、本実施形態の記録計では、データ信号の記録に使用していない制御手段の有無を判断（Ｓ１２０５）する。そして、データ信号の記録に使用していない記録手段があった場合には、使用していない記録手段を制御し、マーカー信号に基づくマーキング（Ｓ１２０６）を記録媒体に対して行う。使用していない記録手段を有していない場合には、図１２では、マーキングを行わず、データ信号の記録のみを行う。
【００４８】
図１２ではこのような例を示したが、前述のように、使用していない記録手段を使用してマーカー信号に基づくマーキングを行うように構成してもよい。
＜実施形態２  効果＞
【００４９】
本実施形態の記録計のように、記録媒体に記録するためのペンなどの記録手段を複数有しており、マーキングを行うためのペンは、複数有する記録手段のうち、データの記録を行っていない記録手段の一部を使用することで、記録中のデータを途切れることなく、データの記録とマーキングを行うことが可能である。
【符号の説明】
【００５０】
０２００  記録計
０２０１  測定装置
０２０２  記録媒体
０２０３  データ取得部
０２０４  記録部
０２０５  記録制御部
０２０６  ユーザー
０２０７  マーカー信号入力部
【図１】
2011027575.tif 000003
【図２】
2011027575.tif 000004
【図３】
2011027575.tif 000005
【図４】
2011027575.tif 000006
【図５】
2011027575.tif 000007
【図６】
2011027575.tif 000008
【図７】
2011027575.tif 000009
【図８】
2011027575.tif 000010
【図９】
2011027575.tif 000011
【図１０】
2011027575.tif 000012
【図１１】
2011027575.tif 000013
【図１２】
2011027575.tif 000014